(57)【特許請求の範囲】
【請求項１】
所定形状に成形されている基材と、その表面に形成されている液膜とからなる構造体であって、該液膜には、該液膜を形成する液体に非相溶の液体の液滴が分布していることを特徴とする構造体。
【請求項２】
前記液滴は、前記液膜表面に、前記非相溶の液体を噴霧することにより形成されている請求項１に記載の構造体。
【請求項３】
前記液滴は、前記液膜を形成する液体と同時に、基材表面に前記非相溶の液体を噴霧することにより形成されている請求項１に記載の構造体。
【請求項４】
前記液膜を形成する液体が食用油または水であり、前記液滴が水または食用油により形成されている請求項１〜３の何れかに記載の構造体。
【請求項５】
前記基材が容器である請求項１〜４の何れかに記載の構造体。
【請求項６】
前記容器が、乳化物を内容物として収容されるものである請求項５に記載の構造体。
【請求項７】
前記乳化物が、マヨネーズ様食品である請求項６に記載の構造体。
【請求項８】
所定形状に形成されている基材を用意し、
該基材表面に、液膜を形成する工程と
液膜を形成する液体に非相溶の液体を噴霧する工程と、
を含み、
前記液膜の表面に、該非相溶の液体の液滴を分布させること、
を特徴とする構造体の製造方法。
【請求項９】
前記液膜を形成する工程が、該液体を噴霧することにより行う、請求項８に記載の構造体の製造方法。
【請求項１０】
前記液膜を形成する工程と前記非相溶の液体を噴霧する工程を同時に行う、請求項９に記載の構造体の製造方法。
【発明の詳細な説明】
【技術分野】
【０００１】
本発明は、所定形状に成形されている基材と、該基材の表面に形成されている液膜とを含む構造体に関するものであり、さらには該構造体の製造方法にも関する。
【背景技術】
【０００２】
液状内容物が収容される容器では、容器の材質を問わず、内容物に対する排出性が要求される。水のように粘性の低い液体を収容する場合では、このような排出性はほとんど問題とならないが、例えば、マヨネーズやケチャップのように粘度の高い粘稠な物質では、プラスチック容器であろうがガラス製容器であろうが、この排出性はかなり深刻な問題である。即ち、このような内容物は、容器を傾けて速やかに排出されないし、また、容器壁に付着してしまうため、最後まで使い切ることができず、特に容器の底部にはかなりの量の内容物が排出されずに残ってしまう。
【０００３】
最近になって、容器等の成形体の表面に油膜を形成することによって、粘稠な物質に対する滑り性を高める技術が種々提案されている（例えば特許文献１，２）。
かかる技術によれば、成形体表面を形成する合成樹脂に滑剤などの添加剤を加える場合と比して、滑り性を飛躍的に高めることができるため、現在注目されている。
また、本出願人は、先に、マヨネーズ様食品に代表される水中油型乳化物が収容された包装容器であって、該水中油型乳化物が接触する容器内面に油膜が形成されている包装容器を提案している（特願２０１４−０２３４２５号）。
【０００４】
しかしながら、上記のように基材表面に油膜を形成して表面特性を改質する手段においては、該油膜により発揮される滑り性の有効寿命が短く、長期間経過後には、その滑り性が低下し、場合によっては、表面に内容物などが貼り付いてしまうなどの問題が生じていた。特に、表面を滑る物質が、乳化物、特に油分の少ないマヨネーズ様食品であるとき、この傾向が顕著である。
【０００５】
さらに、特許文献３には、液状油脂成分、動植物ワックス及び水を含む油中水型エマルジョンからなる離型油が提案されており、この離型油を容器に噴霧することにより、パンや菓子などを焼く際に、その生地の容器への付着を防止し得ることが示されている。
しかるに、本発明者等の実験によると、このような離型油により液膜を形成した場合、滑り性はある程度向上するものの、滑り性の長寿命化にはあまり寄与していない。
【先行技術文献】
【特許文献】
【０００６】
【特許文献１】ＷＯ２０１２／１０００９９
【特許文献２】ＷＯ２０１３／０２２４６７
【特許文献３】特開２００８−２２７９１号公報
【発明の概要】
【発明が解決しようとする課題】
【０００７】
従って、本発明の目的は、所定の形状に成形された基材と、該基材の表面に形成されている液膜と有しており、粘稠な物質、特に乳化物に対する滑り性が持続して安定に発揮される構造体及びその製造方法を提供することにある。
本発明の他の目的は、粘稠な物質、特に乳化物が内容物として収容される容器として使用され、かかる乳化物に対する滑り性に優れた構造体及びその製造方法を提供することにある。
【課題を解決するための手段】
【０００８】
本発明者等は、乳化物に対する滑り性について多くの実験を行い、検討した結果、各種形状を有する基材の表面に、乳化物に対する滑り性を高める液膜（例えば油膜）を形成するとともに、この液膜上に、該液膜を形成する液体（例えば油）とは非相溶の液体（例えば水）の液滴を分布することによって、乳化物に対しての滑り性が長期間にわたって安定に発揮されるという知見を見出し、本発明を完成させるに至った。
【０００９】
本発明によれば、所定形状に成形されている基材と、その表面に形成されている液膜とからなる構造体であって、該液膜には、該液膜を形成する液体に非相溶の液体の液滴が分布していることを特徴とする構造体が提供される。
【００１０】
本発明の構造体においては、
（１）前記液滴は、前記液膜表面に、前記非相溶の液体を噴霧することにより形成されていること、
（２）前記液滴は、前記液膜を形成する液体と同時に、基材表面に前記非相溶の液体を噴霧することにより形成されていること、
（３）前記液膜を形成する液体が食用油または水であり、前記液滴が水または食用油により形成されていること、
（４）前記基材が容器であること、
（５）前記容器が、乳化物を内容物として収容されるものであること、
（６）前記乳化物が、マヨネーズ様食品であること、
が好ましい。
【００１１】
また、本発明によれば、
所定形状に形成されている基材を用意し、該基材表面に、液膜を形成する工程と、
液膜を形成する液体に非相溶の液体を噴霧する工程と、
を含み、
前記液膜の表面に、該非相溶の液体の液滴を分布させること、
を特徴とする構造体の製造方法が提供される。
また、本発明の製造方法においては、
（１）前記液膜を形成する工程が、該液体を噴霧することにより行うこと、
（２）前記液膜を形成する工程と前記非相溶の液体を噴霧する工程を同時に行うこと、
が好ましい。
【発明の効果】
【００１２】
本発明の構造体においては、例えば、マヨネーズ様食品などの粘稠な乳化物に対して優れた滑り性を示すばかりか、この滑り性が長期間にわたって安定に発揮される。
例えば、後述する実施例１によれば、基材表面（ダイレクトブロー容器の内面）に形成されている食用油の液膜表面に、食用油とは非相溶の水の液滴が噴霧されている本発明の構造体では、マヨネーズ様食品を充填し、常温にて１週間保管後、速やかに内容物（マヨネーズ様食品）のほぼ全量を排出させることができる（初期滑り性が高い）。しかも、この内容物を充填した後、約２月保管した後においても、初期と同様、内容物のほぼ全量を排出することができる（経時滑り性が高い）。
これに対して、水を使用せず、食用油のみで液膜を形成した比較例１では、本発明と同程度の初期滑り性を示しているが、上記と同様の期間経過後の経時滑り性は、大きく低下し、容器内に残存する内容物量が多くなっている。
【００１３】
このように、本発明では、液膜表面に、該液膜を形成する液体とは非相溶の液体の液滴を分布させておくことにより、乳化物に対する滑り性の持続性が得られるのであるが、その理由について、本発明者等は、次のように推定している。
即ち、食用油等の油分のみで液膜を形成した場合、この液膜上を乳化物が流れると、液膜中の油分が液膜上の乳化物中に徐々に拡散していき、液膜が消失していく。このため、滑り性が不十分となるばかりか、その滑り性も経時と共に低下していく。これは、液膜をエマルジョン（界面活性剤に代表される乳化剤を用いた分散液）によって形成した場合も同様である。即ち、エマルジョンからなる液膜においては、液膜中の水は界面活性剤（乳化剤）によって安定化されているため、安定して液膜内部に存在することとなり、液膜表面は、油分で形成されていると考えられる。この場合、乳化物は液膜を形成している成分のうち、油分と接触することとなり、液膜を形成しているエマルジョン中の油分が液膜上を通過する乳化物中に取り込まれて消失していき、この結果、滑り性は経時と共に低下していくこととなる。
これに対して、本発明にしたがって液膜に、該液膜を形成している液体と非相溶の液体の液滴（例えば水滴）が分布している場合には、この上を流れる乳化物と液膜との間に液滴が介在することとなる。かかる液滴の存在が、液膜を形成している液体の乳化物への吸収を抑制しているため、該液膜による乳化物に対する滑り性の経時的低下が有効に回避されるものと思われる。
また、上記液滴は、液膜を形成している液体とは非相溶であるため、該液膜に吸収されず、該液膜に対して大きな滑り性を示す。このため、液滴を間に挟んで乳化物が液膜上を流れるとき、該液膜が示す乳化物に対する滑り性に加え、この液滴が滑り剤として機能することとなり、乳化物に対して、極めて優れた滑り性が発現するものと思われる。
【００１４】
さらに、本発明の構造体、特に容器においては、例えば、食用油による液膜を形成し、この液膜上に水滴を分布させるとき、液膜を形成する直前まで、食用油および水滴を、加熱殺菌等の熱処理を容易に行うことができるという利点がある。
例えば、本発明者等は、先に、食用油と水との懸濁分散液により基材表面に液膜が形成されている構造体を先に提案している（特願２０１５−８６０８３号）。かかる構造体も、本発明と同様、乳化物に対する滑り性を示し、且つ滑り性の経時的安定性も優れている。懸濁分散液による液膜では、水の相分離により、液膜上に水滴が分布しているのに近い表面構造が形成されるからである。しかるに、この先願の構造体や、液膜が乳化物で形成されているような構造体では、液膜形成直前に懸濁分散液を加熱殺菌等の熱処理を行うことができない。液膜を形成している懸濁分散液は、加熱により相分離が直ちに生じてしまうためである。よって、懸濁分散液により基材表面に液膜が形成されている構造体を食品の容器に用いる場合、懸濁分散液を作成する前に、加熱殺菌等の熱処理を行い、混合して懸濁分散液を作成する時から液膜形成まで殺菌した状態を保つ必要があり、懸濁分散液の管理が非常に難しいものであった。
【００１５】
しかるに、本発明では、液膜が形成される直前まで、液膜および液滴を加熱殺菌等の熱処理を行うことができ、その後液膜および液滴を形成し、前述した滑り性と、その経時的安定性を確保することができる。特に、液膜形成直前に加熱殺菌を行い得る本発明の構造体は、衛生面での管理が容易となり、マヨネーズ様食品などの乳化物を収容する容器として、極めて有用である。
【図面の簡単な説明】
【００１６】
【図１】本発明の構造体の表面形態を説明するための概略側断面図。
【図２】本発明の構造体の好適な形態であるダイレクトブローボトルの形態を示す図。
【発明を実施するための形態】
【００１７】
図１を参照して、全体として１０で示す本発明の構造体は、所定形状に成形されている基材１と、その表面に形成されている液膜３とを有しており、この液膜３に、液膜３を形成している液体（例えば食用油）に非相溶性の液体（例えば水）による液滴５が分布しており、このような構造体１０の表面上に粘稠な物質（乳化物）７が接触して存在する。
即ち、本発明の構造体１０では、粘稠な物質７と液膜３との間に液滴５が介在するように分布することとなり、液膜３を形成している液体の粘稠な物質７中への吸収が、この液滴５により、有効に抑制されることとなる。しかも、この液滴５は、液膜３を形成している液体に非相溶性であることから、この液膜３に対して高い滑り性を示す。この結果、粘稠な物質７が、この液膜３上を流れるとき、液膜３が示す滑り性と同時に、液滴５が示す滑り性も発揮され、この結果、粘稠な物質７に対して極めて高い滑り性が得られ、液膜３の消耗（液膜３を形成している液体の物質７への吸収）による滑り性の経時的低下も有効に抑制される。
【００１８】
基材１は、その表面に液膜３を保持することが可能である限り、その材質は特に制限されず、樹脂製、ガラス製、金属製等の任意の材質により用途に応じた形態を有していればよい。
粘稠な物質、特に、乳化物に対して、持続して優れた滑り性が発揮されるという観点から、乳化物を流すための配管や乳化物が収容された容器や容器蓋などの形態を有していることが好適であり、このような乳化物と接触する面に、上記の液膜３が形成され、さらに、その液膜３の上に液滴５が形成されていることが好適である。
【００１９】
また、特に液膜３を保持するという観点から、基材１の表面（液膜３の下地面）は、合成樹脂製であることが最も好適である。
【００２０】
このような合成樹脂（以下、下地樹脂と呼ぶ）は、成形可能な任意の熱可塑性樹脂や熱硬化性樹脂であってよいが、一般的には、成形が容易であり且つ液膜中の油分（食用油）を安定に保持できるという観点から、熱可塑性樹脂であることが好ましい。
このような熱可塑性樹脂としては、例えば、以下のものを例示することができる。
オレフィン系樹脂、例えば、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、環状オレフィン共重合体など；
エチレン・ビニル系共重合体、例えば、エチレン・酢酸ビニル共重合体、エチレン・ビニルアルコール共重合体、エチレン・塩化ビニル共重合体等；
スチレン系樹脂、例えば、ポリスチレン、アクリロニトリル・スチレン共重合体、ＡＢＳ、α−メチルスチレン・スチレン共重合体等；
ビニル系樹脂、例えば、ポリ塩化ビニル、ポリ塩化ビニリデン、塩化ビニル・塩化ビニリデン共重合体、ポリアクリル酸メチル、ポリメタクリル酸メチル等；
ポリアミド樹脂、例えば、ナイロン６、ナイロン６−６、ナイロン６−１０、ナイロン１１、ナイロン１２等；
ポリエステル樹脂、例えば、ポリエチレンテレフタレート（ＰＥＴ）、ポリブチレンテレフタレート、ポリエチレンナフタレート、及びこれらの共重合ポリエステル等；
ポリカーボネート樹脂；
ポリフエニレンオキサイド樹脂；
生分解性樹脂、例えば、ポリ乳酸など；
勿論、成形性が損なわれない限り、これらの熱可塑性樹脂のブレンド物を、下地樹脂として使用することもできる。
【００２１】
本発明においては、上記の熱可塑性樹脂の中でも、粘稠な内容物を収容する容器素材として使用されているオレフィン系樹脂やポリエステル樹脂が好適であり、オレフィン系樹脂が最適である。
即ち、オレフィン系樹脂は、ＰＥＴ等のポリエステル樹脂と比較してガラス転移点（Ｔｇ）が低く、室温下での分子の運動性が高いため油膜を形成する成分中の食用油の一部が内部に浸透し、これを表面に安定に保持するという点で最適である。
さらに、オレフィン系樹脂は、可撓性が高く、後述するダイレクトブロー成形による絞り出し容器（スクイズボトル）の用途にも使用されており、本発明をこのような容器に適用するという観点からもオレフィン系樹脂は適している。
【００２２】
また、かかる基材１は、上記のような熱可塑性樹脂の単層構造であってもよいし、上記熱可塑性樹脂と紙との積層体であってもよいし、さらに、複数の熱可塑性樹脂が組み合わされた多層構造を有するものであってもよい。
【００２３】
特に基材１が容器の形態を有する場合において、内面が、オレフィン系樹脂或いはポリエステル樹脂で形成されている場合には、中間層として、適宜接着剤樹脂の層を介して、酸素バリア層や酸素吸収層を積層し、さらに、内面を形成する下地樹脂（オレフィン系樹脂或いはポリエステル樹脂）と同種の樹脂が外面側に積層した構造を採用することができる。
【００２４】
かかる多層構造での酸素バリア層は、例えばエチレン−ビニルアルコール共重合体やポリアミドなどの酸素バリア性樹脂により形成されるものであり、その酸素バリア性が損なわれない限りにおいて、酸素バリア性樹脂に他の熱可塑性樹脂がブレンドされていてもよい。
また、酸素吸収層は、特開２００２−２４０８１３号等に記載されているように、酸化性重合体及び遷移金属系触媒を含む層であり、遷移金属系触媒の作用により酸化性重合体が酸素による酸化を受け、これにより、酸素を吸収して酸素の透過を遮断する。このような酸化性重合体及び遷移金属系触媒は、上記の特開２００２−２４０８１３号等に詳細に説明されているので、その詳細は省略するが、酸化性重合体の代表的な例は、第３級炭素原子を有するオレフィン系樹脂（例えばポリプロピレンやポリブテン−１等、或いはこれらの共重合体）、熱可塑性ポリエステル若しくは脂肪族ポリアミド；キシリレン基含有ポリアミド樹脂；エチレン系不飽和基含有重合体（例えばブタジエン等のポリエンから誘導される重合体）；などである。また、遷移金属系触媒としては、鉄、コバルト、ニッケル等の遷移金属の無機塩、有機酸塩或いは錯塩が代表的である。
【００２５】
各層の接着のために使用される接着剤樹脂はそれ自体公知であり、例えば、マレイン酸、イタコン酸、フマル酸などのカルボン酸もしくはその無水物、アミド、エステルなどでグラフト変性されたオレフィン樹脂；エチレン−アクリル酸共重合体；イオン架橋オレフィン系共重合体；エチレン−酢酸ビニル共重合体；などが接着性樹脂として使用される。
上述した各層の厚みは、各層に要求される特性に応じて、適宜の厚みに設定されればよい。
【００２６】
さらに、上記のような多層構造の構造体を成形する際に発生するバリ等のスクラップをオレフィン系樹脂等のバージンの樹脂とブレンドとしたリグライド層を内層として設けることも可能であるし、オレフィン系樹脂或いはポリエステル樹脂により容器内面が形成された容器において、その外面をポリエステル樹脂或いはオレフィン系樹脂により形成することも勿論可能である。
【００２７】
本発明において、上記のような基材１の表面に設けられる液膜３は、粘稠な物質７（乳化物）に対して滑り性を示す液体から形成される。
このような液体としては、流動パラフィンなどの炭化水素系液体、フッ素系液体、シリコーンオイル、食用油などの親油性液体や、水、イオン水などの親水性液体を挙げることができ、乳化物のような粘稠な物質７に対して、何れも滑り性を高めることができる。
【００２８】
このような液体の中でも、特に粘度が高く、基材１の表面に保持し易いという観点から、親油性液体、特に食用油が最も好適である。
【００２９】
即ち、食用油は、大気圧下での蒸気圧が小さい不揮発性の液体であり、且つ粘度が適度に高いため、成形体１の表面から流れ落ち難いばかりか、特にオレフィン系樹脂に対する接触角が低く、オレフィン系樹脂により形成されている表面に広がり易く、しかも、マヨネーズ様食品などの食品と接触し、混入した場合にも全く問題を生じないという利点がある。
このような食用油としては、大豆油、菜種油、オリーブオイル、米油、コーン油、べに花油、ごま油、パーム油、ひまし油、アボガド油、ココナッツ油、アーモンド油、クルミ油、はしばみ油、サラダ油等を例示することができ、これらは、混合して使用することも可能である。
特に、液膜３の下地となる基材１の表面に応じて、その表面に対する室温（２５℃）での接触角が小さいもの、例えば３８度以下、特に２５度以下のものを選択し、使用することが好ましい。
また、食用油の種類によっては、液膜３上を通過する物質と相溶（混和）し易いことがあるが、このような場合は、他の食用油から、液膜３上を通過する物質と相溶しないものを選択して使用すればよい。特に、上記で例示した食用油は、マヨネーズ様食品に対しても何れも非相溶性である。
【００３０】
上記の液膜３は、一般に、液量が０．７４〜２．５９ｍｇ／ｃｍ２程度となる厚みで基材１の表面に形成される。液量が多すぎると、液垂れ等を生じ易く、例えば、以下に述べる液滴５を液膜３上に形成したとき、液滴５が液膜３を形成する液体と共に脱落してしまうおそれがある。また、液膜３を形成する液量が少なくなると、液膜３による滑り性が十分に発揮されず、粘稠な物質７に対する滑り性が不満足となる恐れがある。
【００３１】
上記の液膜３は、所定形状に成形された基材１の表面に、基材１の形態に応じて、ディッピング、スプレー噴霧等の塗布により形成することもできるし、基材１の表面が合成樹脂製である場合には、液膜３を形成する液体の種類によっては、基材１の表面を形成する合成樹脂と該液体とを混合しての押出成形などによって形成して基材表面に該液体をブリーディングさせることもできる。また、基材表面は粗面であってよい。表面に微粒子（金属酸化物やポリマー粒子）や多孔質体、結晶性添加剤などをコートして凹凸面を形成することもできるし、ブラスト、プラズマ、コロナ、転写などの表面処理と組み合わせてもよい。
【００３２】
本発明において、上記の液膜３に分布する液滴５は、液膜３を形成する液体と非相溶の液体により形成される。即ち、前述した液膜３が、食用油等の親油性液体によって形成されている場合には、液滴５は、水に代表される親水性液体により形成され、液膜３が親水性液体によって形成されている場合には、液滴５は、親油性液体によって形成される。特に、本発明では、先にも述べたように、液膜３が食用油で形成され、液滴５が水で形成されていることが最適である。
【００３３】
即ち、このような液滴５が液膜３に分布することにより、液膜３を形成している液体の乳化物の形態を採っている粘稠な物質７中への吸収が有効に抑制され、液膜３の滑り性の経時的低下が有効に抑制され、長期にわたって、液膜３の滑り性が安定に発揮されることとなる。
また、液膜３に分布する液滴５は、液膜３を形成する液体と非相溶の液体であるため、液膜３に対して高い滑り性を示し、この結果、この上を粘稠な物質７が流れるとき、この液滴５は液膜上を物質７と共に液膜３上を流れ、この結果、粘稠な物質７に対して、非常に高い滑り性が発揮される。
【００３４】
本発明において、上記の液滴５は、液膜３上に安定に分布するという観点から、例えば、直径が６２μｍ以下、特に３０〜５０μｍの小滴であることが好ましい。液滴５の径が大き過ぎると、液滴５同士が合一してしまい、この結果、液膜３上を液滴５が流れ落ちてしまうという不都合を生じ易いからである。
また、上記のような小さな径の液滴５を分布させるという観点から、液膜３と共に存在する液滴５のトータルの液量は、０．４４〜１．３５ｍｇ／ｃｍ２程度であることが好ましく、例えば、このような量の液体を液膜３上に噴霧することにより、液滴５を形成することができる。
【００３５】
上述した説明から理解されるように、上記のような表面構造を有する本発明の構造体１０は、用途の形状に成形された基材１上に液膜３を形成し、このような液膜３上に、液膜３を形成する液体とは非相溶の液体を噴霧して、液膜３上に液滴５を分布させることにより製造してもよい。
この場合、基材１を成形するに際し、その表面を形成する樹脂材料に、液膜３を形成する液体を混合しておき、基材１の成形と同時に、液膜３を形成することも可能である。
または、基材１上に液膜３と液膜３を形成する液体とは非相溶の液体を同時に噴霧して液膜３と液滴５を形成させることにより、構造体１０を製造しても良い。
さらに、液膜３と液滴５を構成する液体は、液膜３と液滴５を形成する直前まで、適度な温度に加熱して殺菌処理することもできる。
【００３６】
このようにして製造される本発明の構造体１０は、乳化物に対する滑り性やその持続性に優れているため、乳化物が液膜３と接触して流れるような用途に有効に適用され、特に乳化物が収容される容器として使用されること、即ち、基材１が容器の形態を有していることが、本発明の利点を最大限に享受し得るという点で最適である。
【００３７】
このような容器の形状は、特に制限されず、カップまたはコップ状、ボトル状、袋状（パウチ）、シリンジ状、ツボ状、トレイ状等、容器材質に応じた形態を有していてよく、延伸成形されていてもよい。
【００３８】
特に合成樹脂製容器では、前述した表面（内容物と接触する内面）を有する前成形体をそれ自体公知の方法により成形し、これを、ヒートシールによるフィルムの貼り付け、プラグアシスト成形等の真空成形、ブロー成形などの後加工に付して容器の形態を有する基材１を作製し、この基材１表面に前述した方法により液膜３を形成し、さらに液膜３上に液滴５を分布させ、最後に、内容物である乳化物（粘稠な物質７）を充填することにより、使用に供される。
特に、上記のような乳化物の充填圧により、液膜３上に形成されている液滴５は、液膜３から落下せずに安定に保持される。
【００３９】
図２には、本発明の構造体１０の最も好適な形態であるダイレクトブローボトルが示されている。
図２において、全体として１０で示されるこの構造体は、ボトルとして使用され、螺条を備えた首部１１、肩部１３を介して首部１１に連なる胴部壁１５及び胴部壁１５の下端を閉じている底壁１７を有しており、このようなボトルの内面に前述した液膜３が形成され、さらに、噴霧により液滴５が形成されることとなる。
【００４０】
上述した本発明の構造体１０は、乳化物に対する滑り性に優れているが、このような乳化物としては、油滴が水中に分散している水中油型（Ｏ／Ｗ型）乳化物や、水滴が油中に分散している油中水滴型（Ｗ／Ｏ型）などがあり、例えば、マヨネーズと称される高脂質食品から低脂質のマヨネーズ食品など、種々の乳化物に適用することができる。
しかるに、本発明者等の実験によると、油分の少ない乳化物ほど、滑り性向上効果が得にくく、しかも滑り性の経時低下が大きい傾向が有り、本発明は、このような乳化物に対しても、優れた滑り性と持続性とを示すため、低脂質の乳化物に本発明を適用することが最も好ましい。
【００４１】
例えば脂質含量が５０％以下のマヨネーズ様食品、サラダクリーミードレッシング、その他の半固体状ドレッシングであって、特に粘度（２３℃）が５００ｍＰａ・ｓ以上の高粘性のペースト状の乳化物を収容する容器に、本発明は最も好適に適用される。
【実施例】
【００４２】
本発明を次の実験例にて説明する。
各実施例、比較例にて使用した容器、液体、内容物は次のとおりである。
【００４３】
＜容器＞
下記の層構成を有する多層構造を有し、且つ内容量４００ｇの多層ダイレクトブローボトルを供した。
内層：低密度ポリエチレン樹脂（ＬＤＰＥ）
中間層：エチレン−ビニルアルコール共重合体（ＥＶＯＨ）
外層：低密度ポリエチレン樹脂（ＬＤＰＥ）
接着層（内外層と中間層との間）：酸変性ポリオレフィン
＜液体（液膜と液滴）＞
食用油：中鎖脂肪酸添加サラダ油
（粘度３３ｍＰａ・ｓ（２５℃）・接触角１８度）
水：純水
表１に示す量の食用油と水を、規定の塗布量を、エアースプレーを用いて容器の内面に均一となるように、食用油を噴霧してから水を噴霧、または食用油と水のそれぞれを同時に噴霧した。
＜内容物＞
卵１個（５０ｇ）と酢１５ｃｃと塩２．５ｃｃを混ぜた後、さらに食用油１５０ｃｃを混ぜ合わせて、実験用のマヨネーズ様食品を作成した。各実施例、比較例では、必要量の内容物を作成して使用した。
【００４４】
また、各実施例、各比較例の内容物を用いて滑り性の評価方法は次の通りである。
＜滑り性評価＞
ボトル内に、噴霧ノズルを底まで挿入し、液体を噴霧しながら引き上げることによりボトル底部から側壁全面に塗布した。この容器内面に分散液が形成されているボトル内に、内容物であるマヨネーズ様食品を常法で４００ｇ充填し、ボトル口部をアルミ箔でヒートシールし、キャップで密封して充填ボトルを得た。
内容物が充填された充填ボトルを２３℃で１週間保管した（初期ボトル）。
表１に示す各保管期間・温度にて保管されたボトルについて、胴部を押し、ボトル口部を通して内容物を最後まで搾り出した後、このボトル内に空気を入れ形状を復元させた。
次いで、このボトルを倒立（口部を下側）にして１時間保管した後のボトル胴部壁の内容物滑り性の程度（胴部壁に内容物が付着していない程度）を測定し、次の式で内容物付着率を計算した。
内容物付着率（％）
＝（内容物が付着している表面積／ボトル胴部壁表面積）×１００
上記で計算された内容物付着率から、滑り性を次の基準で評価した。
○：内容物付着率が１０％未満
△：内容物付着率が１０％以上で５０％未満
×：内容物付着率が５０％以上
【００４５】
〔実施例１〜６〕
成形したボトルに、食用油と水を、表１中の比率、塗布量で塗布し、滑り性を評価した。塗布後のボトルは、食用油と水が混合した白濁した液膜を保持していた。
【００４６】
〔比較例１〕
成形したボトルに、食用油のみを、表１中の塗布量で塗布し、滑り性を評価した。塗布後のボトルは、透明（食用油）の液膜を保持していた。
【００４７】
〔比較例２〕
成形したボトルに、水を塗布し、食用油を塗布した。塗布した水はボトルの底にたまり、後から噴霧した食用油である透明の液膜がボトルに保持された。水が入ったボトルにて、滑り性評価を行った。
【００４８】
【表１】
0006051278.tif 000002
【００４９】
この結果、ボトルの内面に、水が分布した食用油による液膜を形成することで、内容物の滑り性が向上し、高温にて長期保管した後でも、滑り性を維持しているので、液滴（水）が分布した液膜（食用油）を内面に塗布して液膜を形成した成形体は、内容物の滑り性に優れ、長期間性能を維持していることが判る。
また、水を先に噴霧して、食用油を噴霧しても、ボトルに水は保持されてないため、食用油のみと同様の液膜しか形成できないことも確認できた。
【符号の説明】
【００５０】
１：基材
３：液膜
５：液滴
７：粘稠な物質（乳化物）
１０：構造体
１１：首部
１３：肩部
１５：胴部壁
１７：底壁
【要約】
【課題】所定の形状に成形された基材と、該基材の表面に形成されている液膜と有しており、粘稠な物質、特に乳化物に対する滑り性が持続して安定に発揮される構造体及びその製造方法を提供する。
【解決手段】所定形状に成形されている基材１と、その表面に形成されている液膜３とからなる構造体１０であって、液膜３の表面には、液膜３を形成する液体に非相溶の液体の液滴５が分布していることを特徴とする。
【選択図】  図１【図１】
0006051278.tif 000003
【図２】
0006051278.tif 000004